(57)【要約】【課題】  放送受信機が他の地域に移送された場合でも、ユーザに特別な操作を行わせたり、ＧＰＳから場所情報を得たりすることなく、受信可能なチャンネルのプリセットを容易に行えるようにすることができる「地上波ディジタル放送受信機及びチャンネルプリセット方法」を提供する。【解決手段】  選局されたチャンネルの放送波を受信するチューナ２と、選局情報を地域情報に対応させて記憶する選局情報記憶部４と、チューナ２により所定の順番でチャンネルを選局し、そのチャンネルが受信可能であると判断した場合には、そのチャンネルの放送信号に含まれる地域情報を取得し、これに対応する選局情報を選局情報記憶部４から読み出す制御部１２とを備えることにより、受信可能なチャンネルを一つ見つけて、その放送信号に含まれる地域情報によりどの地域の選局情報を使用するかを決めることができる。【選択図】        図１
2006014025.tif 000002
【特許請求の範囲】
【請求項１】
選局されたチャンネルに合致する受信周波数を設定して、そのチャンネルの放送信号を受信するチューナと、
各地域で受信可能なチャンネルの受信周波数を示す選局情報を地域情報に対応させて記憶する選局情報記憶部と、
前記チューナにより所定の順番でチャンネルを選局し、前記選局したチャンネルが受信可能であるか否かを判断して、前記選局したチャンネルが受信可能である場合には、そのチャンネルの放送信号に含まれる地域情報を取得し、これに対応する選局情報を前記選局情報記憶部から読み出す制御部とを備えたことを特徴とする地上波ディジタル放送受信機。
【請求項２】
前記地域情報は、前記放送信号に含まれるＮＩＴに記述されているエリアコードであることを特徴とする請求項１に記載の地上波ディジタル放送受信機。
【請求項３】
制御部が、チューナにより所定の順番でチャンネルを選局する第１のステップと、
前記第1のステップにて選局したチャンネルが受信可能であるか否かを制御部が調べる第２のステップと、
前記第２のステップにて、制御部が受信可能であると判断した場合には、チューナにより、前記選局したチャンネルの放送信号を受信する第３のステップと、
前記第３のステップにて受信した放送信号より地域情報を取得する第４のステップと、
前記第４のステップにて取得した地域情報に対応する地域において受信可能なチャンネルとその受信周波数とを示す選局情報を、各地域で受信可能なチャンネルの受信周波数を示す選局情報を地域情報に対応させて記憶した選局情報記憶部より読み出す第５のステップとを備えたチャンネルプリセット方法。
【請求項４】
前記地域情報は、前記放送信号に含まれるＮＩＴに記述されているエリアコードであることを特徴とする請求項３に記載のチャンネルプリセット方法。
【発明の詳細な説明】
【技術分野】
【０００１】
本発明は、地上波ディジタル放送受信機及びチャンネルプリセット方法に関し、特に、各地域で受信可能なチャンネルをプリセットする技術に関するものである。
【背景技術】
【０００２】
日本国内では、地上波テレビ放送のディジタル化が進められており、２０１１年には全国で地上波ディジタル放送が実施され、アナログ波を停波する予定となっている。
【０００３】
地上波ディジタル放送では、従来の地上波アナログ放送に比べて、移動受信や携帯受信を行う番組受信端末向けの放送でも安定した映像を提供することができる。それに伴い、車載用や携帯用の地上波ディジタル放送受信機を用いて、移動先で番組を視聴するケースが考えられる。
【０００４】
地上波ディジタル放送受信機では、地上波ディジタル放送受信機の電源を投入した直後に番組を視聴するケースや、前述した移動先で番組を視聴するケース等において、受信可能なチャンネルのプリセットを行う。受信可能なチャンネルを探す方法としては、例えばチャンネルスキャンやエリアプリセット等の方法がある。
【０００５】
チャンネルスキャンは、ＵＨＦの１３チャンネル（受信周波数４７３ＭＨＺ）から６２チャンネル（受信周波数７６７ＭＨＺ）までを１チャンネルずつ受信周波数を切り替えながら、各チャンネルが受信可能であるか否かを自動的に調べる方法である。受信可能であるか否かは、そのチャンネルの受信周波数に設定したときのＢＥＲ値（Bit Error Rate）を計測することで判断する。受信可能であるときには、そのチャンネルのＮＩＴ（Network Information Table）を取得し、ネットワークＩＤの重複を調べることで同じ放送が存在していないかを調べ、サービスリスト（同じチャンネルで複数の異なる番組を同時に放送している場合の番組のリスト）及びリモコンＩＤ（リモコンのボタンにどのチャンネルを割り当てるかを示すＩＤ）を抽出する。そして、これらの処理の終了後に次のチャンネルのスキャンを行う。一方、受信不可能であるときには、次のチャンネルのスキャンを行う。
【０００６】
また、エリアプリセットは、地上波ディジタル放送受信機にて、所定のエリア（例えば各都道府県など）にて受信可能な複数のチャンネルを予め記憶部に記憶しておき、ユーザが何らかの情報（例えば郵便番号や電話番号の市外局番など）を入力することで、対応するエリアの受信可能なチャンネルを記憶部から呼び出す方法である。
【０００７】
しかしながら、従来の技術では、チャンネルスキャンを行う場合、ＵＨＦの１３チャンネルから６２チャンネルまでの全てのチャンネルについて、前述した処理を行わなければならないので、チャンネルスキャンに時間がかかってしまうという問題があった。また、エリアプリセットを行う場合、車載用や携帯用等の地上波ディジタル放送受信機がどの地域に移動したかをユーザが判断して情報を入力しなければならないため、設定が面倒になってしまうという問題があった。
【０００８】
また、地域番号をユーザによって手動で入力したり、カーナビゲーション装置に搭載されたＧＰＳ（Global Positioning System）等により得られた位置情報に基づき算出したりすることで、地域番号に対応したチャンネル設定情報をプリセットデータベースから読み出してチャンネルメモリに登録する放送受信装置が知られている（例えば特許文献１など）。
【特許文献１】特開２００１−１６８６８４号公報
【０００９】
また、場所情報取得手段が取得した場所により特定される地上波放送エリア内の地上波放送の選局情報を取得する技術が知られている（例えば特許文献２など）。
【特許文献２】特開２００１−２９８６７４号公報
【００１０】
しかしながら、特許文献１に記載の技術では、地域番号をユーザによって手動で入力したり、カーナビゲーション装置に搭載されたＧＰＳ等により得られた位置情報に基づき算出したりするため、地域番号の入力がユーザにとって面倒であったり、位置情報を得るためにＧＰＳが必要になったりするという問題があった。また、特許文献２に記載の技術では、地上波放送の選局情報を特定するための場所情報を取得するＧＰＳ等の場所情報取得手段が必要になってしまうという問題があった。
【発明の開示】
【発明が解決しようとする課題】
【００１１】
本発明は、このような問題を解決するために成されたものであり、車載用や携帯用の地上波ディジタル放送受信機において、受信可能なチャンネルのプリセットを短時間で行うことができるようにすることを目的とする。また、ユーザに特別な判断や操作を行わせたり、ＧＰＳ等から場所情報を得たりすることなく、移動に伴って受信可能なチャンネルのプリセットを容易に行えるようにすることを目的とする。
【課題を解決するための手段】
【００１２】
上記した課題を解決するために、本発明では、選局されたチャンネルの放送波を受信するチューナと、各地域で受信可能なチャンネルとその受信周波数とを示す選局情報を地域情報に対応させて記憶する選局情報記憶部と、チューナにより所定の順番でチャンネルを選局し、選局されたチャンネルが受信可能であるか否かを判断して、選局されたチャンネルが受信可能である場合には、そのチャンネルの放送信号に含まれる地域情報を取得し、これに対応する選局情報を選局情報記憶部から読み出す制御部とを備えるようにしている。
【発明の効果】
【００１３】
上記のように構成した本発明によれば、チャンネルプリセットを行う際に、チャンネルスキャンにより受信可能なチャンネルを一つ見つけてチャンネルの選局を行い、そのチャンネルの放送信号に含まれる地域情報によりどの地域の選局情報を使用するかを決めるので、全てのチャンネルを選局するチャンネルスキャンに比べて短時間でチャンネルプリセットを行うことができる。また、受信した放送信号に含まれる地域情報によりどの地域の選局情報を使用するかを決めるため、ユーザは地域を特定するための特別な操作を行う必要がなくなり、受信可能なチャンネルのプリセットを容易に行うことができる。また、地域を特定するためのＧＰＳ受信機等を別途用意する必要もなくなる。
【発明を実施するための最良の形態】
【００１４】
以下、本発明による実施形態を図面に基づいて説明する。図１は、本実施形態による地上波ディジタル放送受信機の構成例を示すブロック図である。図１に示すように、本実施形態による地上波ディジタル放送受信機は、操作部１、チューナ２、アンテナ３、選局情報記憶部４、チャンネルプリセット記憶部５、ＯＦＤＭ復調部６、誤り訂正部７、デマルチプレクサ部８、オーディオデコーダ部９、ビデオデコーダ部１０、データデコーダ部１１、制御部１２を備えて構成されている。
【００１５】
操作部１は、ユーザの操作によるチャンネルの選局指示に対応して、後述するチャンネルプリセット記憶部５にプリセットされたチャンネルの中から何れかのチャンネルを選ぶための選局指示信号を出力する。また、操作部１は、ユーザの操作等により、チャンネルプリセットを開始するチャンネルプリセット開始信号を出力する。
【００１６】
チューナ２は、受信アンテナ３によって受信した地上波ディジタル放送の電波から、選局指示信号によって選ばれたチャンネルに合致した受信周波数の放送信号を選択的に抽出して出力する。
【００１７】
選局情報記憶部４は、例えばＲＯＭ等により構成されており、エリア番号によって分類される複数の地域毎に受信可能なチャンネル（例えば、一つの地域につき６つのチャンネル）の受信周波数を示す選局情報をそのチャンネルのサービス名に対応付けて記憶する。ここで、エリア番号は、例えば日本の４７都道府県を５３に分割したそれぞれの地域に対して用意されている。また、図２に示すように、選局情報記憶部４は、各地域における選局情報をエリアコード（area code）に対応させて記憶している。図２において、各エリア番号に対応した選局情報は、チャンネルＡ〜チャンネルＦまでの６つのサービス名に対応してそれぞれ構成されている。そして、後述する制御部１２から入力されたエリアコードに対応する選局情報から各受信周波数を抽出して制御部１２に出力する。ここで、エリアコードは請求項の地域情報に該当する。
【００１８】
チャンネルプリセット記憶部５は、例えばＥＥＰ−ＲＯＭ等の書き換え可能な記憶装置により構成されており、選局情報記憶部４から読み出された地上波ディジタル放送受信機が存在する地域のエリアコードに対応する６チャンネル分の受信周波数を記憶する。ここで、チャンネルプリセット記憶部５には、図３に示すようなプリセット内容が記憶される。図３において、操作部１によって操作されるチャンネルを示すボタンのボタン番号に対応させて、受信周波数が記憶されている。また、チャンネルプリセット記憶部５は、操作部１によって行われる選局指示（６つのチャンネルの中から一つのチャンネルを選ぶ操作）に対応するチャンネル番号と受信周波数とを出力する。
【００１９】
ＯＦＤＭ復調部６は、チューナ２で受信した放送信号をＯＦＤＭ復調してＴＳ（トランスポートストリーム）を得る。また、誤り訂正部７は、ＯＦＤＭ復調部６から入力したＴＳを誤り訂正する。また、デマルチプレクサ部８は、誤り訂正部７から入力された多重化されているＴＳを分離して音声ストリーム、映像ストリーム及びデータストリームを出力する。ここで、データストリームには、放送局毎に送出されるＮＩＴが含まれており、ＮＩＴの地上分配システム記述子には、チューナ２で受信した放送信号を放送している放送局の地域を示すエリアコードが含まれる。
【００２０】
オーディオデコーダ部９は、デマルチプレクサ部８から入力した音声ストリームをデコードして音声データとして出力する。また、ビデオデコーダ部１０は、デマルチプレクサ部８から入力した映像ストリームをデコードして映像データとして出力する。また、データデコーダ部１１は、デマルチプレクサ部８から入力したデータストリームをデコードして後述する制御部１２へ出力する。
【００２１】
制御部１２は、操作部１から選局指示信号を入力し、操作部１にて選局指示されたチャンネルを特定する。そして、制御部１２は、チャンネルプリセット記憶部５から選局指示されたチャンネルのチャンネル番号と受信周波数とを読み出し、これによりチューナ２を制御する。
【００２２】
また、制御部１２は、操作部１からチャンネルプリセット開始信号を入力し、チャンネルのプリセットを行う。チャンネルプリセットが開始されると、制御部１２は、チューナ２においてＵＨＦの１３チャンネル（受信周波数４７３ＭＨＺ）から６２チャンネル（受信周波数７６７ＭＨＺ）までを１チャンネルずつ受信周波数を切り替えるように制御しながら、各チャンネルが受信可能であるか否かを自動的に調べ、この処理を最初に受信可能なチャンネルを検出するまで行う。受信可能であるか否かは、そのチャンネルの受信周波数に設定したときのＢＥＲ値を計測することで判断する。
【００２３】
制御部１２は、受信可能なチャンネルを検出すると、そのチャンネルのチャンネル番号と受信周波数とに応じてチューナ２を制御する。チューナ２では、制御部１２によって特定されたチャンネルに合致した受信周波数の放送信号を選択的に抽出して出力する。ＯＦＤＭ復調部６では、チューナ２から入力した放送信号をＯＦＤＭ復調してＴＳを得る。また、誤り訂正部７は、ＯＦＤＭ復調部６から入力したＴＳを誤り訂正する。デマルチプレクサ部８は、誤り訂正部７から入力された多重化されているＴＳを分離して音声ストリーム、映像ストリーム及びデータストリームを出力する。データデコーダ部１１は、デマルチプレクサ部８から入力したデータストリームをデコードして制御部１２へ出力する。
【００２４】
制御部１２では、データデコーダ部１１からデータストリームを入力し、そのデータストリームに含まれるＮＩＴの地上分配システム記述子に記載されているエリアコードを抽出する。そして、制御部１２は、抽出したエリアコードに基づいて、地上波ディジタル放送受信機が存在する地域に対応する選局情報を選局情報記憶部４から読み出して、選局情報から各チャンネルのサービス名に対応する受信周波数を抽出してチャンネルプリセット記憶部５に記憶する。
【００２５】
図４は、本実施形態による地上波ディジタル放送受信機の動作及びチャンネルプリセット方法を示すフローチャートである。まず、制御部１２では、操作部１よりチャンネルプリセット開始信号が入力されたか否かを調べる（ステップＳ１）。これにより、チャンネルプリセットが開始されたか否かを判断する。ここで、操作部１では、チャンネルプリセットを開始する所定の操作が行われたときにチャンネルプリセット開始信号を制御部１２に出力する。
【００２６】
制御部１２では、操作部１よりチャンネルプリセット開始信号が入力されない場合（ステップＳ１にてＮＯ）、ステップＳ１の処理を繰り返す。一方、操作部１よりチャンネルプリセット開始信号が入力された場合（ステップＳ１にてＹＥＳ）、チャンネルのプリセットを開始する（ステップＳ２）。
【００２７】
チャンネルのプリセットが開始されると、制御部１２は、チューナ２において最初に受信すべきチャンネル、ここではＵＨＦの１３チャンネルに切り替える（ステップＳ３）。そして、そのチャンネルが受信可能であるか否かを調べる（ステップＳ４）。ＵＨＦの１３チャンネルが受信不可能である場合には（ステップＳ４にてＮＯ）、制御部１２は、チューナ２において次に受信すべきチャンネル、ここではＵＨＦの１３チャンネルからチャンネル数を一つ増やしたＵＨＦの１４チャンネルにチャンネルを切り替え（ステップＳ５）、ステップＳ４の処理に戻る。
【００２８】
一方、ＵＨＦの１３チャンネルが受信可能である場合には（ステップＳ４にてＹＥＳ）、チューナ２は、受信したチャンネルの放送信号をＯＦＤＭ復調部６に出力する（ステップＳ６）。
【００２９】
そして、ＯＦＤＭ復調部６では、チューナ２で受信した放送信号をＯＦＤＭ復調してＴＳ（トランスポートストリーム）を取得し、誤り訂正部７によって誤り訂正を行う。デマルチプレクサ部８では、誤り訂正された多重化されているＴＳを分離して音声ストリーム、映像ストリーム及びデータストリームを出力する。
【００３０】
データデコーダ部１１では、デマルチプレクサ８から入力したデータストリームをデコードして制御部１２へ出力する。制御部１２では、データストリームを基にＮＩＴを取得し、ＮＩＴの地上分配システム記述子に記載されているエリアコードを特定する（ステップＳ７）。ここで、チャンネルプリセット時には特に必要ではないが、デマルチプレクサ部８により分離された音声ストリームは、オーディオデコーダ部９にてデコードされて出力されるようにしても良い。また、デマルチプレクサ部８により分離された映像ストリームは、ビデオデコーダ部１０にてデコードされて出力されるようにしても良い。
【００３１】
制御部１２では、ステップＳ７にて特定したエリアコードに対応する選局情報を選局情報記憶部４から読み出して、選局情報から各チャンネルのサービス名に対応する受信周波数を抽出してチャンネルプリセット記憶部５に記憶する（ステップＳ８）。
【００３２】
以上詳しく説明したように、本実施形態によれば、チャンネルプリセットを行う際に、制御部１２は、受信可能なチャンネルを一つ見つけるまでチャンネルの選局を行い、チューナ２にて受信したそのチャンネルの放送信号に含まれる地域情報を取得して、その地域情報に対応する選局情報を選局情報記憶部４より読み出し、チャンネルプリセット記憶部５に記憶するので、全てのチャンネルを選局するチャンネルスキャンに比べて短時間でチャンネルプリセットを行うことができる。また、制御部１２は、チューナ２にて受信した放送信号に含まれる地域情報を取得して、その地域情報に対応する選局情報を選局情報記憶部４より読み出し、選局情報から各チャンネルのサービス名に対応する受信周波数を抽出してチャンネルプリセット記憶部５に記憶するので、ユーザは地域を特定するための特別な操作を行う必要がなくなり、受信可能なチャンネルのプリセットを容易に行うことができる。また、地域を特定するためのＧＰＳ受信機等の装置を別途用意する必要もなくなる。
【００３３】
なお、本実施形態において、取得したＮＩＴに基づいて、選局情報記憶部４から選局情報を読み出し、選局情報から各チャンネルのサービス名に対応する受信周波数を抽出してチャンネルプリセット記憶部５に記憶することで、自動的にチャンネルプリセットを行っているが、これに限定されない。例えば、ＮＩＴによりエリアコードを取得したときに、取得したエリアコードの地域、及び、そのエリアコードに基づくチャンネルプリセットを行っても良いか否かのメッセージを表示部に表示したり、音声出力部より音声出力したりするようにしても良い。そして、ユーザによってチャンネルプリセットを行っても良いと選択されたときのみチャンネルプリセットを行うようにしても良い。
【００３４】
また、このような表示や音声出力に対して、ユーザがチャンネルプリセットを行わないとの選択を行った場合、取得したエリアコードの地域に近い複数の地域を候補地域として選択可能に表示したり音声出力したりするようにしても良い。このとき、複数の候補地域の中からユーザにより選択された地域のエリアコードに基づいて選局情報を選局情報記憶部４より読み出し、選局情報から各チャンネルのサービス名に対応する受信周波数を抽出してチャンネルプリセット記憶部５に記憶する。
【００３５】
また、本実施形態では、操作部１にて、チャンネルプリセットを開始する所定の操作が行われたときにチャンネルプリセット開始信号を制御部１２に出力するようにしているが、これに限定されない。例えば、制御部１２にて、現在視聴中のチャンネルの受信状況を判断し、受信状況が悪化した場合にチャンネルプリセットを開始するようにしても良い。
【００３６】
また、本実施形態では、チャンネルプリセットをＵＨＦの１３チャンネルから開始しているが、これに限定されない。例えば、ＵＨＦの１３チャンネル以外の６２チャンネルから受信可能チャンネルの検索を行うようにしても良い。
【００３７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３８】
本発明は、異なる地域に移送された場合に、その地域に対応したチャンネルプリセットを行う地上波ディジタル放送受信機に有用である。
【図面の簡単な説明】
【００３９】
【図１】本実施形態による地上波ディジタル放送受信機の構成例を示すブロック図である。
【図２】本実施形態による地上波ディジタル放送受信機の選局情報記憶部に記憶される選局情報の例を示す図である。
【図３】本実施形態による地上波ディジタル放送受信機のチャンネルプリセット記憶部に記憶されるプリセット内容の一例を示す図である。
【図４】本実施形態による地上波ディジタル放送受信機の動作及びチャンネルプリセット方法を示すフローチャートである。
【符号の説明】
【００４０】
１    操作部
２    チューナ
３    受信アンテナ
４    選局情報記憶部
５    チャンネルプリセット記憶部
６    ＯＦＤＭ復調部
７    誤り訂正部
８    デマルチプレクサ部
９    オーディオデコーダ部
１０    ビデオデコーダ部
１１    データデコーダ部
１２    制御部
【図１】
2006014025.tif 000003
【図２】
2006014025.tif 000004
【図３】
2006014025.tif 000005
【図４】
2006014025.tif 000006